【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  ズーム部およびフォーカス部を含む光学系の通過光量を可変設定する光量設定手段と、前記ズーム部の駆動制御を行う制御手段とを有するズームレンズ装置において、
前記制御手段は、前記ズーム部の駆動範囲をこのズーム部の駆動によって前記光学系の実通過光量が前記光量設定手段による設定通過光量より減少しない光量維持範囲に制限可能であるとともに、
前記ズーム部のズーミングのための駆動範囲を前記光量維持範囲に制限した状態で、前記ズーム部の前記フォーカス部の駆動に伴う画角変動を補正するための駆動制御を前記光量維持範囲にかかわらず行うことを特徴とするズームレンズ装置。
【請求項２】  ズーム部およびフォーカス部を含む光学系の通過光量を可変設定する光量設定手段と、前記ズーム部の駆動制御を行う制御手段とを有するズームレンズ装置において、
前記制御手段は、前記ズーム部の駆動端としてこのズーム部の駆動によって前記光学系の実通過光量が前記光量設定手段による設定通過光量より減少しない光量維持端を設定可能であるとともに、
前記ズーム部のズーミングのための駆動端を前記光量維持端に設定した状態で、前記ズーム部の前記フォーカス部の駆動に伴う画角変動を補正するための駆動制御を前記光量維持端にかかわらず行うことを特徴とするズームレンズ装置。
【請求項３】  ズーム部およびフォーカス部を含む光学系の通過光量を可変設定する光量設定手段と、前記ズーム部の駆動制御を行う制御手段とを有するズームレンズ装置において、
前記制御手段は、前記ズーム部の駆動範囲をこのズーム部の駆動によって前記光学系の実通過光量が前記光量設定手段による設定通過光量より減少しない光量維持範囲に制限可能であるとともに、
前記ズーム部のズーミングのための駆動範囲を前記光量維持範囲に制限した状態で、前記ズーム部の前記フォーカス部の駆動に伴う画角変動を補正するための駆動制御を前記光量維持範囲にかかわらず行う第１のモードと、前記ズーム部の前記画角変動補正のための駆動範囲も前記光量維持範囲に制限する第２のモードとで選択的に動作することを特徴とするズームレンズ装置。
【請求項４】  ズーム部およびフォーカス部を含む光学系の通過光量を可変設定する光量設定手段と、前記ズーム部の駆動制御を行う制御手段とを有するズームレンズ装置において、
前記制御手段は、前記ズーム部の駆動端としてこのズーム部の駆動によって前記光学系の実通過光量が前記光量設定手段による設定通過光量より減少しない光量維持端を設定可能であるとともに、
前記ズーム部のズーミングのための駆動端を前記光量維持端に設定した状態で、前記ズーム部の前記フォーカス部の駆動に伴う画角変動を補正するための駆動制御を前記光量維持端にかかわらず行う第１のモードと、前記ズーム部の前記画角変動補正のための駆動端も前記光量維持端に設定する第２のモードとで選択的に動作することを特徴とするズームレンズ装置。
【請求項５】  前記光量設定手段が、光の通過面積を可変設定する遮光部材を有しており、
前記制御手段は、前記遮光部材の状態に応じて前記光量維持範囲を設定することを特徴とする請求項１又は３に記載のズームレンズ装置。
【請求項６】  前記制御手段は、
前記ズーム部を前記画角変動補正のために駆動制御するためのズーム制御指令情報を演算するズーム指令情報演算部と、
前記光量設定手段の設定状態に基づいて前記光量維持範囲を演算する駆動範囲演算部と、
前記光量維持範囲と前記ズーム制御指令情報とに基づいて前記ズーム部の駆動制御を行う駆動制御部とを有することを特徴とする請求項１又は３に記載のズームレンズ装置。
【請求項７】  前記ズーム指令情報演算部は、前記フォーカス部を駆動制御するためのフォーカス指令情報と前記フォーカス部および前記ズーム部をそれぞれ構成するレンズの位置に関する情報とに基づいて前記ズーム制御指令情報を演算することを特徴とする請求項６に記載のズームレンズ装置。
【請求項８】  前記駆動範囲演算部は、前記光量設定手段の設定状態に対応して記憶手段に記憶された情報に基づいて前記光量維持範囲を演算することを特徴とする請求項６又は７に記載のズームレンズ装置。
【請求項９】  前記光量設定手段が、光の通過面積を可変設定する遮光部材を有しており、
前記制御手段は、前記遮光部材の状態に応じて前記光量維持端を設定することを特徴とする請求項２又は４に記載のズームレンズ装置。
【請求項１０】  前記制御手段は、
前記ズーム部を前記画角変動補正のために駆動制御するためのズーム制御指令情報を演算するズーム指令情報演算部と、
前記光量設定手段の設定状態に基づいて前記光量維持端を演算する駆動端演算部と、
前記光量維持端と前記ズーム制御指令情報とに基づいて前記ズーム部の駆動制御を行う駆動制御部とを有することを特徴とする請求項２又は４に記載のズームレンズ装置。
【請求項１１】  前記ズーム指令情報演算部は、前記フォーカス部を駆動制御するためのフォーカス指令情報と前記フォーカス部および前記ズーム部をそれぞれ構成するレンズの位置に関する情報とに基づいて前記ズーム制御指令情報を演算することを特徴とする請求項１０に記載のズームレンズ装置。
【請求項１２】  前記駆動端演算部は、前記光量設定手段の設定状態に対応して記憶手段に記憶された情報に基づいて前記光量維持端を演算することを特徴とする請求項１０又は１１に記載のズームレンズ装置。
【請求項１３】  前記制御手段は、使用者操作に応じて前記フォーカス部を駆動制御することを特徴とする請求項１から１２のいずれかに記載のズームレンズ装置。
【請求項１４】  フォーカス部のフォーカシングにより基準画角に対して画角が変動するのを補正するためにズーム部を駆動し、画角を基準画角に保持させる画角保持モード及びズーム部の駆動による撮影光学系の光量低下を防止するためにズーム部が基準の値よりもテレ側に移行することを規制する規制機能を有するズームレンズ装置において、
前記画角保持モードが選択されたときに、前記規制機能での制御を禁止することを特徴とするズームレンズ装置。
【請求項１５】  請求項１から１４のいずれかに記載のズームレンズ装置と、使用者操作に応じて前記フォーカス部を駆動制御するためのフォーカス制御指令情報を演算するのに必要なフォーカス操作情報を出力する操作装置とを有することを特徴とするズームレンズシステム。
【請求項１６】  請求項１から１４のいずれかに記載のズームレンズ装置と、使用者操作に応じて前記ズーム部をズーミングのために駆動制御するためのズーム制御指令情報を演算するのに必要なズーム操作情報を出力する操作装置とを有することを特徴とするズームレンズシステム。
【請求項１７】  請求項１５又は１６に記載のズームレンズシステムと、前記ズームレンズ装置が装着されるカメラとを有することを特徴とするカメラシステム。
【手続補正２】
【補正対象書類名】明細書
【補正対象項目名】０００８
【補正方法】変更
【補正の内容】
【０００８】
そこで、本発明は、Ｆ値優先機能によるズームの駆動許容範囲（光量維持範囲）の端点でフォーカス制御されても、画角を一定に保つことを可能にしたズームレンズ装置を提供することにある。
【手続補正３】
【補正対象書類名】明細書
【補正対象項目名】００１３
【補正方法】変更
【補正の内容】
【００１３】
また、本願第５の発明では、フォーカス部のフォーカシングにより基準画角に対して画角が変動するのを補正するためにズーム部を駆動し、画角を基準画角に保持させる画角保持モード及びズーム部の駆動による撮影光学系の光量低下を防止するためにズーム部が基準の値よりもテレ側に移行することを規制する規制機能を有するズームレンズ装置において、画角保持モードが選択されたときに、上記規制機能での制御を禁止するようにしている。これにより、光量維持よりも画角保持を優先した制御を行うことが可能となる。
【手続補正４】
【補正対象書類名】明細書
【補正対象項目名】００１４
【補正方法】変更
【補正の内容】
【００１４】
【発明の実施の形態】
図１には、本発明の実施形態であるズームレンズ装置１０１の構成を示している。４はＣＰＵ（制御手段）であり、このＣＰＵ４には、ズームデマンド１およびフォーカスデマンド２が接続されている。ズームデマンド１からは、その操作速度に対応するズーム速度データ（ズーム操作情報）がＣＰＵ４に入力される。また、フォーカスデマンド２からは、その操作量に対応するフォーカス制御データ（フォーカス操作情報）が入力される。また、ＣＰＵ４には、画角補正優先モード設定スイッチ３が接続されている。この画角補正優先モード設定スイッチ３がＯＮのときは、Ｆ値優先機能よりも画角変動補正機能を優先し（第１のモード、画角保持モード）、これがＯＦＦのときは画角変動補正機能よりもＦ値優先機能を優先する（第２のモード）。
【手続補正５】
【補正対象書類名】明細書
【補正対象項目名】００２９
【補正方法】変更
【補正の内容】
【００２９】
次に、ステップ８で、画角補正優先モード設定スイッチ３からの出力を取り込み、ステップ９で画角補正優先モード設定スイッチ３の状態を判断する。画角補正優先モード設定スイッチ３がＯＮの場合は、ステップ１０Ａで画角補正優先フラグをセットし、ステップ１１に進む。一方、ステップ９において画角補正優先モード設定スイッチ３がＯＦＦの場合は、ステップ１０Ｂで画角補正優先フラグをクリアし、ステップ１１に進む。
【手続補正６】
【補正対象書類名】図面
【補正対象項目名】図１
【補正方法】変更
【補正の内容】
【図１】
2001013395.tif 000001